(57)【特許請求の範囲】
【請求項１】
回路基板にＲＡＭとそれの記憶のバックアップ手段及びバックアップ放電手段を備え、回路基板のＲＡＭ及びバックアップ手段の実装された部分が上下カバーで囲まれ、バックアップ放電手段が回路基板を構成するプリント配線基板の表面に設けられたプリント配線のようなパターン配線によって互いに離れて配置されたプラス側配線及びグランド側配線により形成され、回路基板のプラス側配線及びグランド側配線の実装された部分が上下カバーより外側に突出したことを特徴とする遊技機のバックアップ放電装置。
【請求項２】
上下カバーで囲まれた回路基板にＲＡＭとそれの記憶のバックアップ手段及びバックアップ放電手段を備え、バックアップ放電手段が回路基板を構成するプリント配線基板の表面に設けられたプリント配線のようなパターン配線によって互いに離れて配置されたプラス側配線及びグランド側配線により形成され、カバーにはプラス側配線及びグランド側配線を指向する案内孔が設けられたことを特徴とする遊技機のバックアップ放電装置。
【請求項３】
回路基板にＲＡＭとそれの記憶のバックアップ手段及びバックアップ放電手段を備え、回路基板のＲＡＭ及びバックアップ手段の実装された部分が上下カバーで囲まれ、バックアップ放電手段が回路基板を構成するプリント配線基板の表面に設けられたプリント配線のようなパターン配線によって互いに離れて配置されたプラス側配線及びグランド側配線により形成され、回路基板のプラス側配線の実装された部分が上下カバーより外側に突出し、グランド側配線に接続された金属製の舌片がプラス側配線から離れて上下カバーより外側に突出したことを特徴とする遊技機のバックアップ放電装置。
【請求項４】
バックアップ電源が放電すると点灯する放電確認表示灯が回路基板に設けられたことを特徴とする請求項１乃至３のいずれかに記載の遊技機のバックアップ放電装置。
【発明の詳細な説明】
【０００１】
【発明の属する技術分野】
本発明は、遊技機のＲＡＭの記憶をバックアップ電源を強制的に放電する装置に関する。
【０００２】
【従来の技術】
特開平８−２２９１９２号公報で開示されたパチンコ機では停電時においてＲＡＭの記憶を電気的に保持するバックアップ電源が設けられている。
【０００３】
【発明が解決しようとする課題】
しかし、前記従来例では復電時又は起動時においてバックアップ電源によりＲＡＭの記憶がクリアされていないと、ＣＰＵが暴走してしまうので、にわかに採用しがたいものである。
【０００４】
そこで、本発明は、ＲＡＭの記憶をバックアップ電源を強制的に放電することにより、ＣＰＵの暴走を防止することができる遊技機のバックアップ放電装置を提供するものである。
【０００５】
【課題を解決するための手段】
本発明に係る遊技機のバックアップ放電装置は、回路基板にＲＡＭとそれの記憶のバックアップ手段及びバックアップ放電手段を備え、回路基板のＲＡＭ及びバックアップ手段の実装された部分が上下カバーで囲まれ、バックアップ放電手段が回路基板を構成するプリント配線基板の表面に設けられたプリント配線のようなパターン配線によって互いに離れて配置されたプラス側配線及びグランド側配線により形成され、回路基板のプラス側配線及びグランド側配線の実装された部分が上下カバーより外側に突出するか、または、上下カバーで囲まれた回路基板にＲＡＭとそれの記憶のバックアップ手段及びバックアップ放電手段を備え、バックアップ放電手段が回路基板を構成するプリント配線基板の表面に設けられたプリント配線のようなパターン配線によって互いに離れて配置されたプラス側配線及びグランド側配線により形成され、カバーにはプラス側配線及びグランド側配線を指向する案内孔が設けられたか、または、回路基板にＲＡＭとそれの記憶のバックアップ手段及びバックアップ放電手段を備え、回路基板のＲＡＭ及びバックアップ手段の実装された部分が上下カバーで囲まれ、バックアップ放電手段が回路基板を構成するプリント配線基板の表面に設けられたプリント配線のようなパターン配線によって互いに離れて配置されたプラス側配線及びグランド側配線により形成され、回路基板のプラス側配線の実装された部分が上下カバーより外側に突出し、グランド側配線に接続された金属製の舌片がプラス側配線から離れて上下カバーより外側に突出したことを特徴としている。よって、本発明によれば、人がグランド側配線または舌片とプラス側配線とを互いにドライバのような金属棒で接続することによって、復旧作業時にバックアップ放電手段によりＲＡＭの記憶を保持しているバックアップ電源を強制的に放電させて、ＣＰＵの暴走を防止することができ、バックアップ放電手段を簡単な構造で構成することができ、コストダウンを図ることができる。本発明に係る遊技機のバックアップ放電装置において、バックアップ電源が放電すると点灯する放電確認表示灯が回路基板に設けられれば、バックアップ電源の充電と放電とを人が容易に確認することができる。
【０００６】
【発明の実施の形態】
図１〜図３は本発明の第１実施形態であって、図１は主制御装置１の外観を示し、図２は図１をＡ−Ａ線に沿い切断した断面を示し、図３はパチンコ機の制御系統を示す。
【０００７】
図３を参照し、パチンコ機の制御系統について説明する。公共機関による検査と遊技者による不正防止との観点から、制御系統は主制御装置１、図柄制御装置２、音制御装置３、表示灯制御装置４、球払出制御装置５、球発射制御装置６等に個別の構造体として機能分割される。そして、電源装置７の電源スイッチが投入されると、ＡＣ２４ボルト（ＡＣ２４Ｖ）のような交流電源がパチンコ店の島側トランスのような島側電源装置７から電源装置７に入力され、電源装置７が交流電源を全波整流して粗整流の直流電源に変換し、その粗整流の直流電源をＤＣ１２ボルト（ＤＣ１２Ｖ）やＤＣ５ボルト（ＤＣ５Ｖ）のようなパチンコ機で必要な定電圧の直流電源に変換して主制御装置１、図柄制御装置２、音制御装置３、表示灯制御装置４、球払出制御装置５、球発射制御装置６に供給する。
【０００８】
主制御装置１は、ＣＰＵ１１とＲＯＭ１２とＲＡＭ１３とより成るマイクロコンピュータを内蔵し、賞球関係各種スイッチや遊技関係各種スイッチ及び賞球計数スイッチ等から入力信号が配線及び入出力ポート１４を介して入力すると、ＣＰＵ１１がＲＯＭ１２に設定されたプログラムに基づき、ＲＡＭ１３を処理過程の記憶手段として入力処理・エラー処理・図柄制御処理・賞球制御処理・外部情報処理・コマンドセット処理等の遊技全般の遊技処理を実行し、その処理結果であるコマンドを、入出力ポート１４及び配線を介して、図柄制御装置２、音制御装置３、表示灯制御装置４、球払出制御装置５に別々の配線を介して個別に一方向に出力する。主制御装置１は停電時にＲＡＭ１３の記憶を保持するバックアップ電源としてのコンデンサ１５及び放電確認表示灯１６を備える。
【０００９】
図１及び図２を参照し、主制御装置１について説明する。主制御装置１は下カバー２２にプリント配線基板のような回路基板２３を搭載し、外部より内部を見ることが可能な透視性の有る合成樹脂よりなる上カバー２１を被せ、上カバー２１に設けられたカバー取付孔２４より止ねじ２５を回路基板２３を経由して下カバー２２に締結した形態である。上下カバー２１；２２で囲まれた内部空間に配置された回路基板２３にはＣＰＵ１１、ＲＯＭ１２、ＲＡＭ１３、入出力ポート１４、コンデンサ１５やそれ以外の必要部品等の各種電子部品を実装し、上カバー２１より外側に突出する回路基板２３にはコンデンサ１５からのプラス側配線２６、グランド配線２７、放電確認表示灯１６、複数のコネクタ２８を実装する。コネクタ２８には図柄制御装置２、音制御装置３、表示灯制御装置４、球払出制御装置５が接続される。プラス側配線２６及びグランド配線２７は回路基板２３の表面に設けられたプリント配線のようなパターン配線であって、互いに所定間隔を以って並列に配置されており、上カバー２１とは非接触な状態である。プラス側配線２６とグランド配線２７とがバックアップ放電手段を形成する。
【００１０】
第１実施形態の構造によれば、図３に示す電源装置７で変換された直流電源により主制御装置１、図柄制御装置２、音制御装置３、表示灯制御装置４、球払出制御装置５、球発射制御装置６が正常に動作すると共にコンデンサ１５がバックアップ電源を充電し、停電が発生すると、バックアップ電源がコンデンサ１５から主制御装置１のＲＡＭ１３に供給され、ＲＡＭ１３に処理中における記憶された情報が保持される。そして、復旧作業時にはパチンコ店の店員が遊技機枠体の前枠を開き、図１及び図２に示すプラス側配線２６及びグランド配線２７のそれぞれにドライバーのような工具の金属棒を接触させる。すると、コンデンサ１５に残存するバックアップ電源が放電すると共に放電確認表示灯１６が点灯する。
【００１１】
図４は本発明の第２実施形態のＡ−Ａ線に相当する断面を示す。第２実施形態はプラス側配線２６及びグランド配線２７を上下カバー２２で囲まれた内部空間に配置された回路基板２３に設けて上カバー２１よりも外側に延設しておらず、上カバー２１に案内孔２９をプラス側配線２６及びグランド配線２７に指向する筒状に形成し、パチンコ店の店員が上カバー２１の外側よりドライバーのような工具の金属棒を案内孔２９に挿入してプラス側配線２６及びグランド配線２７のそれぞれに接触させ、コンデンサ１５に残存するバックアップ電源を放電させる。
【００１２】
図５は本発明の第３実施形態を示す。第３実施形態は上カバー２１を全部又は一部を金属板で構成し、当該金属板の部分にグランド配線２７に相当する舌片３０を曲折形成し、金属板をパチンコ機のアース部材に接続しておき、パチンコ店の店員がドライバーのような工具で舌片３０をプラス側配線２６に接触させ、コンデンサ１５に残存するバックアップ電源を放電させる。
【００１３】
バックアップ放電手段は主制御装置１、図柄制御装置２、音制御装置３、表示灯制御装置４、球払出制御装置５、球発射制御装置６又は電源装置７の全部又は何れか１つ又は複数に設けても同様に適用できる。
【００１４】
コンデンサ１５からの放電を一層徐々に行わせるために、放電確認表示灯１６に代えて又は加えてプラス側配線２６及びグランド配線２７よりなるバックアップ放電経路に抵抗器を設けても良い。
【図面の簡単な説明】
【図１】本発明の第１実施形態の主制御装置を示す斜視図。
【図２】図をＡ−Ａ線断面図。
【図３】同実施形態のパチンコ機の制御系統を示すブロック図。
【図４】本発明の第２実施形態の主制御装置を示す断面図。
【図５】本発明の第３実施形態の主制御装置を示す斜視図。
【符号の説明】
１  主制御装置
１５  コンデンサ（バックアップ手段）
１６  放電確認表示灯
２１  上カバー
２２  下カバー
２３  回路基板
２６  プラス側配線（バックアップ放電手段）
２７  グランド配線（バックアップ放電手段）
２９  案内孔（バックアップ放電手段）
３０  舌片（バックアップ放電手段）
【図１】
0003617811.tif 000002
【図２】
0003617811.tif 000003
【図３】
0003617811.tif 000004
【図４】
0003617811.tif 000005
【図５】
0003617811.tif 000006